(57)【要約】【課題】  設置場所の人間の人数や移動方向を判定して良好な画像情報の表示を行う。【解決手段】  依頼者１Ａ、１Ｂは依頼者端末２や携帯電話機３からインターネット４を通じて画像表示の運用サーバー６へアクセスが行われる。この運用サーバー６には画像表示の受付機能が設けられて、依頼者端末２や携帯電話機３から送信される画像情報と、画像表示を行う日時や表示条件、課金等を指定する情報の受付が行われる。この申し込みに対して運用サーバー６では、例えば人間の集っている場所やその流れ等の動態情報を取得する動態情報取得手段７を参照して対応する場所（監視カメラ８の設置場所）を判別し、判別された設置場所に対応する表示地区端末９に受け付けられた画像情報を配信する。ここでエスカレーター１０の側壁や動く歩道装置１１に近接する壁面に可逆記録媒体１２が設置されている。そして運用サーバー６から配信された画像情報が、表示地区端末９を通じて可逆記録媒体１２の近傍に配置される画像形成装置１３に対して再配信される。【選択図】        図１
2005331884.tif 000002
【特許請求の範囲】
【請求項１】
依頼者コンピュータと、運用サーバーと、表示地区端末とがコンピュータネットワークで接続された画像表示システムにおいて、
前記依頼者コンピュータは、
表示する画像の表示に関する種別情報と当該画像の表示に関する条件情報とを少なくとも設定する手段と、
前記設定された情報と、前記表示の対象となる画像データあるいは当該画像データの格納先に関する情報の少なくともいずれか一方とを画像情報として生成する手段と、
前記生成された画像情報を前記設定された条件情報に含まれる送信先情報に応じて対応する運用サーバーに送信する手段と、
前記運用サーバーは、
前記依頼者コンピュータから受信した画像情報に含まれる種別情報と条件情報に対応して、当該画像情報を見せる対象とする移動体の動態情報を取得する動態情報取得手段と、
前記受信した画像情報と前記取得した動態情報に基づいて当該画像情報を当該動態情報に対応して表示させる表示指示情報を生成する手段と、
前記生成された表示指示情報を前記取得した動態情報に対応する前記表示地区端末に送信する手段と、
前記表示地区端末は、
前記運用サーバーから送信された表示指示情報を受信する手段と、
前記受信した表示指示情報に基づいて対応する画像形成装置を識別すると共に、当該識別の結果に応じて表示実行の対象となる画像形成装置に対して画像形成の指示を行う手段と、
を備えることを特徴とする画像表示システム。
【請求項２】
請求項１記載の画像表示システムにおいて、
前記動態情報取得手段は、前記画像形成装置の設置場所における人間の人数及び移動方向を判定する
ことを特徴とする画像表示システム。
【請求項３】
請求項２記載の画像表示システムにおいて、
前記動態情報取得手段で判定される移動方向は、前記設置場所に近接する連続移送装置の走行方向に基づく
ことを特徴とする画像表示システム。
【請求項４】
請求項３記載の画像表示システムにおいて、
前記連続移送装置はエスカレーターであり、このエスカレーターの側壁に対して前記画像形成装置を設ける
ことを特徴とする画像表示システム。
【請求項５】
請求項３記載の画像表示システムにおいて、
前記連続移送装置は動く歩道装置であり、この動く歩道装置に近接する壁面に対して前記画像形成装置を設ける
ことを特徴とする画像表示システム。
【請求項６】
請求項１記載の画像表示システムにおいて、
前記運用サーバーには課金手段が併設され、
前記課金手段では前記動態情報取得手段で取得された動態情報に基づいて課金の金額を設定する
ことを特徴とする画像表示システム。
【請求項７】
請求項１記載の画像表示システムにおいて、
前記画像形成装置は発色状態における極大吸収波長が異なる２種類以上のフォトクロミック化合物を含む感光層が支持基板上に形成されてなる可逆記録媒体を有し、
少なくとも紫外光を照射することにより感光層に含有される全種類の前記フォトクロミック化合物を発色させる工程と、発色した各々の前記フォトクロミック化合物の極大吸収波長に対応した波長域の可視光をそれぞれ予め定めた領域に照射することにより各前記フォトクロミック化合物を選択的に消色する工程とを施すことを用いて画像を形成する
ことを特徴とする画像表示システム。
【請求項８】
依頼者コンピュータと、運用サーバーと、表示地区端末とがコンピュータネットワークで接続されたシステムに用いられる画像表示方法において、
前記依頼者コンピュータは、
表示する画像の表示に関する種別情報と当該画像の表示に関する条件情報とを少なくとも設定し、
前記設定された情報と、前記表示の対象となる画像データあるいは当該画像データの格納先に関する情報の少なくともいずれか一方とを画像情報として生成し、
前記生成された画像情報を前記設定された条件情報に含まれる送信先情報に応じて対応する運用サーバーに送信し、
前記運用サーバーは、
前記依頼者コンピュータから受信した画像情報に含まれる種別情報と条件情報に対応して、当該画像情報を見せる対象とする移動体の動態情報を取得し、
前記受信した画像情報と前記取得した動態情報に基づいて当該画像情報を当該動態情報に対応して表示させる表示指示情報を生成し、
前記生成された表示指示情報を前記取得した動態情報に対応する前記表示地区端末に送信し、
前記表示地区端末は、
前記運用サーバーから送信された表示指示情報を受信し、
前記受信した表示指示情報に基づいて対応する画像形成装置を識別すると共に、当該識別の結果に応じて表示実行の対象となる画像形成装置に対して画像形成の指示を行う、
ことを特徴とする画像表示方法。
【請求項９】
請求項８記載の画像表示方法において、
前記動態情報は、前記画像形成装置の設置場所における人間の人数及び移動方向を判定する
ことを特徴とする画像表示方法。
【請求項１０】
請求項９記載の画像表示方法において、
前記判定される移動方向は、前記設置場所に近接する連続移送装置の走行方向に基づく
ことを特徴とする画像表示方法。
【請求項１１】
請求項１０記載の画像表示方法において、
前記連続移送装置はエスカレーターであり、このエスカレーターの側壁に対して前記画像形成装置が設けられる
ことを特徴とする画像表示方法。
【請求項１２】
請求項１０記載の画像表示方法において、
前記連続移送装置は動く歩道装置であり、この動く歩道装置に近接する壁面に対して前記画像形成装置が設けられる
ことを特徴とする画像表示方法。
【請求項１３】
請求項８記載の画像表示方法において、
課金手段が併設され、前記取得された動態情報に基づいて課金の金額を設定する
ことを特徴とする画像表示方法。
【請求項１４】
請求項８記載の画像表示方法において、
前記画像形成装置は発色状態における極大吸収波長が異なる２種類以上のフォトクロミック化合物を含む感光層が支持基板上に形成されてなる可逆記録媒体を有し、
少なくとも紫外光を照射することにより感光層に含有される全種類の前記フォトクロミック化合物を発色させる工程と、発色した各々の前記フォトクロミック化合物の極大吸収波長に対応した波長域の可視光をそれぞれ予め定めた領域に照射することにより各前記フォトクロミック化合物を選択的に消色する工程とを施すことを用いて画像を形成する
ことを特徴とする画像表示方法。
【発明の詳細な説明】
【技術分野】
【０００１】
本発明は、例えば多数の人間が移動する場所の壁面等に使用して好適な画像表示システム及び方法に関する。詳しくは、例えば表示手段として可逆記録媒体を用いると共に、その設置場所の人間の人数や移動方向を判定し、その判定結果に応じて良好な画像情報の表示を行うことができるようにしたものである。
【背景技術】
【０００２】
本願発明者は、先にフォトクロミック化合物を用いた可逆記録媒体に関する技術について開示している（例えば、非特許文献１参照。）。
【０００３】
また、このような可逆記録媒体に対して画像表示を行うための画像形成装置に関する技術も開示している（例えば、特許文献１、特許文献２参照。）。
【０００４】
【特許文献１】特開２００３−１８６１５４号公報
【特許文献２】特開２００３−２３３１５３号公報
【非特許文献１】http://ext.ricoh.co.jp/about/business_overview/report/29/pdf/B2906.pdf
【発明の開示】
【発明が解決しようとする課題】
【０００５】
例えば多数の人間が移動する場所の壁面等において、画像情報を表示することが行われている。その場合に従来の技術では、紙等に印刷された表示媒体を掲出するか、あるいは液晶ディスプレイ等の表示機器を用いて映像信号として配信される情報を表示する手段が用いられる。しかしながらこれらの手段では、印刷に用いられる紙資源の消費が莫大なものになる。また、液晶ディスプレイ等での表示には、継続的な電気エネルギー等の供給が必要とされる。
【０００６】
さらに上述の画像表示を行う際に、媒体が紙の場合には事前の印刷等の準備やその掲出に多大な労力が必要とされ、特に情報の即応性は望めない。一方、液晶ディスプレイ等の表示機器を用いる場合は、印刷等の準備や掲出の労力は不要であり、ニュース等の即応性の高い表示も行われている。しかしながら映像表示には、予め記録媒体等へ収録と配布が必要であり、ニュースの表示は文字放送等のフォーマットが限定されているものである。
【０００７】
本発明はこのような点に鑑みて成されたものであり、発明が解決しようとする課題は、従来周知慣用の技術では、情報の表示に多くの資源・エネルギーの消費が行われていると共に、即応性の高い画像表示を容易に実施することができなかったというものである。
【課題を解決するための手段】
【０００８】
上記課題を解決し、本発明の目的を達成するため、請求項１に記載された発明は、依頼者コンピュータと、運用サーバーと、表示地区端末とがコンピュータネットワークで接続された画像表示システムにおいて、依頼者コンピュータは、表示する画像の表示に関する種別情報と当該画像の表示に関する条件情報とを少なくとも設定する手段と、設定された情報と、表示の対象となる画像データあるいは当該画像データの格納先に関する情報の少なくともいずれか一方とを画像情報として生成する手段と、生成された画像情報を設定された条件情報に含まれる送信先情報に応じて対応する運用サーバーに送信する手段と、運用サーバーは、依頼者コンピュータから受信した画像情報に含まれる種別情報と条件情報に対応して、当該画像情報を見せる対象とする移動体の動態情報を取得する動態情報取得手段と、受信した画像情報と取得した動態情報に基づいて当該画像情報を当該動態情報に対応して表示させる表示指示情報を生成する手段と、生成された表示指示情報を取得した動態情報に対応する表示地区端末に送信する手段と、表示地区端末は、運用サーバーから送信された表示指示情報を受信する手段と、受信した表示指示情報に基づいて対応する画像形成装置を識別すると共に、当該識別の結果に応じて表示実行の対象となる画像形成装置に対して画像形成の指示を行う手段とを備えるようにしたものである。
【０００９】
また、請求項２に記載の発明による画像表示システムにおいて、動態情報取得手段は、画像形成装置の設置場所における人間の人数及び移動方向を判定するものである。
【００１０】
請求項３に記載の発明による画像表示システムにおいて、動態情報取得手段で判定される移動方向は、設置場所に近接する連続移送装置の走行方向に基づくものである。
【００１１】
請求項４に記載の発明による画像表示システムにおいて、連続移送装置はエスカレーターであり、このエスカレーターの側壁に対して画像形成装置を設けるものである。
【００１２】
請求項５に記載の発明による画像表示システムにおいて、連続移送装置は動く歩道装置であり、この動く歩道装置に近接する壁面に対して画像形成装置を設けるものである。
【００１３】
請求項６に記載の発明による画像表示システムにおいて、運用サーバーには課金手段が併設され、課金手段では動態情報取得手段で取得された動態情報に基づいて課金の金額を設定するものである。
【００１４】
請求項７に記載の発明による画像表示システムにおいて、画像形成装置は発色状態における極大吸収波長が異なる２種類以上のフォトクロミック化合物を含む感光層が支持基板上に形成されてなる可逆記録媒体を有し、少なくとも紫外光を照射することにより感光層に含有される全種類のフォトクロミック化合物を発色させる工程と、発色した各々のフォトクロミック化合物の極大吸収波長に対応した波長域の可視光をそれぞれ予め定めた領域に照射することにより各フォトクロミック化合物を選択的に消色する工程とを施すことを用いて画像を形成するものである。
【００１５】
さらに、本発明の目的を達成するため、請求項８に記載された発明は、依頼者コンピュータと、運用サーバーと、表示地区端末とがコンピュータネットワークで接続されたシステムに用いられる画像表示方法において、依頼者コンピュータは、表示する画像の表示に関する種別情報と当該画像の表示に関する条件情報とを少なくとも設定し、設定された情報と、表示の対象となる画像データあるいは当該画像データの格納先に関する情報の少なくともいずれか一方とを画像情報として生成し、生成された画像情報を設定された条件情報に含まれる送信先情報に応じて対応する運用サーバーに送信し、運用サーバーは、依頼者コンピュータから受信した画像情報に含まれる種別情報と条件情報に対応して、当該画像情報を見せる対象とする移動体の動態情報を取得し、受信した画像情報と取得した動態情報に基づいて当該画像情報を当該動態情報に対応して表示させる表示指示情報を生成し、生成された表示指示情報を取得した動態情報に対応する表示地区端末に送信し、表示地区端末は、運用サーバーから送信された表示指示情報を受信し、受信した表示指示情報に基づいて対応する画像形成装置を識別すると共に、当該識別の結果に応じて表示実行の対象となる画像形成装置に対して画像形成の指示を行うようにしたものである。
【００１６】
また、請求項９に記載の発明による画像表示方法において、動態情報は、画像形成装置の設置場所における人間の人数及び移動方向を判定するものである。
【００１７】
請求項１０に記載の発明による画像表示方法において、判定される移動方向は、記設置場所に近接する連続移送装置の走行方向に基づくものである。
【００１８】
請求項１１に記載の発明による画像表示方法において、連続移送装置はエスカレーターであり、このエスカレーターの側壁に対して画像形成装置が設けられるものである。
【００１９】
請求項１２に記載の発明による画像表示方法において、連続移送装置は動く歩道装置であり、この動く歩道装置に近接する壁面に対して画像形成装置が設けられるものである。
【００２０】
請求項１３に記載の発明による画像表示方法において、課金手段が併設され、取得された動態情報に基づいて課金の金額を設定するものである。
【００２１】
請求項１４に記載の発明による画像表示方法において、画像形成装置は発色状態における極大吸収波長が異なる２種類以上のフォトクロミック化合物を含む感光層が支持基板上に形成されてなる可逆記録媒体を有し、少なくとも紫外光を照射することにより感光層に含有される全種類のフォトクロミック化合物を発色させる工程と、発色した各々のフォトクロミック化合物の極大吸収波長に対応した波長域の可視光をそれぞれ予め定めた領域に照射することにより各フォトクロミック化合物を選択的に消色する工程とを施すことを用いて画像を形成するものである。
【発明の効果】
【００２２】
以上述べたように、本発明によれば、画像情報を見せる対象とする移動体の動態情報を取得し、その動態情報に応じて画像情報の表示を行うことにより、常に良好な画像情報の表示を行うことができる。また、可逆記録媒体を用いることによって、資源・エネルギーの消費を削減することができると共に、即応性の高い画像表示を容易に実現することができるものである。
【発明を実施するための最良の形態】
【００２３】
以下、図面を参照して本発明を説明するに、図１は本発明による画像表示システム及び方法をエスカレーター及び動く歩道装置に適用した場合の一実施形態の構成を示すブロック図である。
【００２４】
図１において、情報の表示を希望する依頼者１Ａ、１Ｂは、例えば依頼者端末（パーソナルコンピュータ）２や携帯電話機３を用いてインターネット４への接続を行う。なお、携帯電話機３の場合は、無線の基地局５を通じてインターネット４への接続が行われる。さらにこのインターネット４を通じて、本発明の基幹となる画像表示の運用サーバー６へアクセスが行われる。
【００２５】
この運用サーバー６には、例えばインターネット４からの画像表示の受付機能が設けられて、上述の依頼者端末２や携帯電話機３から送信される画像情報等の受付が行われる。また、この画像情報の受付に際しては、例えば画像表示を行う日時や表示条件、課金等を指定する情報の受付が併せて行われる。なお、表示条件の指定は、例えば商業施設での実施にあっては、イベント階や対象等の条件によって行うことができる。
【００２６】
この申し込みに対して運用サーバー６では、上述の指定された日時や表示条件等の情報により、例えば人間の集っている場所やその流れ等の動態情報を取得する動態情報取得手段７を参照して対応する場所（監視カメラ８の設置場所）を判別する。さらに運用サーバー６は、判別された設置場所に対応する表示地区端末９に受け付けられた画像情報を配信する。
【００２７】
ここで上述の監視カメラ８は、例えばエスカレーター１０や動く歩道装置１１に対して設けられているものであり、これらのエスカレーター１０の側壁や動く歩道装置１１に近接する壁面に可逆記録媒体１２が設置されている。そして運用サーバー６から配信された画像情報が、表示地区端末９を通じて可逆記録媒体１２の近傍に配置される画像形成装置１３に対して再配信される。さらに再配信された画像情報が画像形成装置１３から投影されて、可逆記録媒体１２に画像情報が形成される。
【００２８】
また、運用サーバー６では、上述の画像表示の受付に対して任意の課金手段１４が起動され、依頼者１Ａ、１Ｂに対する課金の手続が行われる。なお、このような課金手段１４については既存の手段が採用されるので、ここで詳細な説明は割愛するが、運用サーバー６では、例えば上述の指定された表示条件や、動態情報取得手段７からの動態情報に従って課金の金額を任意に設定することもできるものである。
【００２９】
また、上述の構成において、可逆記録媒体１２には、例えば上述の非特許文献１に示されるように、発色状態における極大吸収波長が異なる２種類以上のフォトクロミック化合物を含む感光層が支持基板上に形成されてなる可逆記録媒体が用いられる。
【００３０】
また、画像形成装置１３には、特許文献１、２に示されるように、少なくとも紫外光を照射することにより感光層に含有される全種類のフォトクロミック化合物を発色させる工程と、発色した各々のフォトクロミック化合物の極大吸収波長に対応した波長域の可視光をそれぞれ予め定めた領域に照射することにより各フォトクロミック化合物を選択的に消色する工程とを施すことを用いて画像を形成する画像形成装置が用いられる。
【００３１】
すなわち上述の実施形態において、例えば依頼者１Ｂが携帯電話機３のカメラ機能等で撮影した画像情報に文字情報等を付加し、インターネット４を通じて運用サーバー６に画像表示を申し込む。この際には、画像表示の日時や表示条件等の指定も併せて行う。この申し込みに対して運用サーバー６では、動態情報取得手段７を参照して対応する設置場所を判別し、判別された設置場所に対応する表示地区端末９に画像情報を配信する。
【００３２】
さらに、配信を受けた表示地区端末９は該当する画像形成装置１３に向けて配信された画像情報を再配信し、再配信された画像情報が画像形成装置１３から投影されて、可逆記録媒体１２に画像情報が形成される。
【００３３】
したがってこの実施形態において、画像情報を見せる対象とする移動体の動態情報を取得し、その動態情報に応じて画像情報の表示を行うことにより、常に良好な画像情報の表示を行うことができる。また、可逆記録媒体を用いることによって、資源・エネルギーの消費を削減することができると共に、即応性の高い画像表示を容易に実現することができるものである。
【００３４】
さらに、上述の依頼者端末２若しくは携帯電話機３から可逆記録媒体１２に対する画像情報の表示（形成）までの処理は、例えば図２〜図４に示すようなフローチャートに従って行われる。
【００３５】
すなわち図４には、昇降機（エスカレーター）の保護壁（側壁）に表示する画像情報の登録処理のフローチャートを示す。このフローチャートは、携帯電話機若しくは依頼者端末である依頼端末と運用サーバーでの処理の流れについて示している。そこでまず依頼端末の処理が開始されると、ステップＳ１１で表示依頼情報の入力処理が行われる。この入力処理では、表示日時、投影画像、表示条件（イベント階、対象）、課金等の入力が行われる。そしてステップＳ１２で表示依頼情報の運用サーバーへの送信処理が行われる。
【００３６】
この送信に対して、運用サーバーの処理が開始されると、ステップＳ２１で依頼端末からの表示依頼情報の受付処理が行われる。この受付処理では、依頼者識別情報を付与し、表示依頼情報を対応付けデータベース（ＤＢ）に格納する。次に、ステップＳ２２で表示依頼情報の設定処理が行われる。この設定処理では、表示依頼情報と周辺部の群集度合いに基づき設定が行われる。この設定処理については、後述の図３で詳細に説明する。
【００３７】
また、ステップＳ２３で設定情報があるか否か判断され、設定情報がないとき（Ｎｏ）はステップＳ２２での設定処理が繰り返される。そしてステップＳ２３で設定情報があるとき（Ｙｅｓ）は、ステップＳ２４で設定情報の送信処理が行われる。この送信処理では、設定結果に基づいて依頼元に返信が行われるものである。
【００３８】
この送信に対して、依頼端末のステップＳ１３で運用サーバーからの設定情報の受信処理が行われる。この受信処理では、運用サーバーで設定したフロア、課金などの情報が受信される。さらにステップＳ１４で設定情報の表示処理が行われる。この表示処理では、設定情報に含まれる情報に基づいて課金等の情報が表示される。そしてステップＳ１５でＯＫか否か判断され、ＯＫのとき（Ｙｅｓ）はステップＳ１６で設定の依頼処理が行われて依頼端末の処理は終了される。
【００３９】
また、ステップＳ１５でＯＫでないとき（Ｎｏ）はステップＳ１７で再設定の依頼処理が行われる。これらのステップＳ１６、Ｓ１７での依頼処理に対して、運用サーバーのステップＳ２５で設定応答情報の受信処理が行われる。そして受信された設定応答に対してステップＳ２６で設定ＯＫか否か判断され、ＯＫでないとき（Ｎｏ）は、ステップＳ２２での設定からの処理が繰り返される。また、ステップＳ２６で設定ＯＫのとき（Ｙｅｓ）は、ステップＳ２７で設定情報の登録が行われる。
【００４０】
次に、図３には入力情報に基づいた設定処理のフローチャートを示す。このフローチャートは、上述の運用サーバーのステップＳ２２での処理を詳細に説明するものである。すなわち図３の処理が開始されると、まずステップＳ３１で所定エリアに関する群衆度が算出される。次に、ステップＳ３２で所定エリアに関する移動方向が検出される。さらにステップＳ３３で群衆度と移動方向から対応する画像が抽出される。
【００４１】
そして、ステップＳ３４で対象画像があるか否か判断される。ここで対象画像がないとき（Ｎｏ）は、ステップＳ３１に戻される。また、ステップＳ３５で対象画像があるとき（Ｙｅｓ）は、ステップＳ３５で複設定情報の読み出しが行われる。さらにステップＳ３６で照射エリア、機器、照射時間、表示方法などの条件が設定される。そしてステップＳ３７で対象の画像形成装置に設定した照射情報が送信される。
【００４２】
すなわち図３において、群集度は昇降機近傍に設置されたセンサにより算出される所定面積あたりの人数である。また各昇降機に付される設置情報からその昇降機の移動方向に関する情報が検出される。そして群集度と移動方向情報から対象となる画像をＤＢから取得する。ここで対象となる画像が登録されていれば、その画像を移動方向に応じて決定される位置の照射機、照射エリア、群集度に応じた表示（修飾など）で照射指示条件を生成し、この生成した照射指示情報を対象となる画像形成装置に対して送信するものである。
【００４３】
そしてこれらの処理が行われた後に、図２のステップＳ２２に戻される。したがって、以上の図２、図３のフローチャートによって、例えば昇降機（エスカレーター）の保護壁（側壁）に表示される画像情報の設定処理が行われるものである。
【００４４】
さらに図４には、例えば昇降機（エスカレーター）の保護壁（側壁）への画像の表示処理のフローチャートを示す。このフローチャートは、運用サーバーと画像形成装置での処理の流れについて示している。なお運用サーバーの処理は、図６での処理の続きである。
【００４５】
そこで運用サーバーでは、まずステップＳ４１で照射指示情報の抽出が行われる。次にステップＳ４２で指示情報ありか否か判断される。そして、ステップＳ４２で設定情報がないとき（Ｎｏ）は、ステップＳ４１での照射指示情報の抽出が繰り返される。これに対して、ステップＳ５２で設定情報があるとき（Ｙｅｓ）は、ステップＳ４３で画像形成装置の特定処理が行われる。そしてステップＳ４４で抽出された指示情報が画像形成装置に送信されて、運用サーバーでの処理は終了される。
【００４６】
さらにステップＳ４４での送信に対して、画像形成装置での処理が行われる。すなわち画像形成装置の処理が開始されると、ステップＳ５１で運用サーバーから送信される指示情報の受信処理が行われる。また、ステップＳ５２で指示情報の格納処理が行われる。さらにステップＳ５３で指定時間か否か判断が行われる。そしてステップＳ５３で指定時間でないとき（Ｎｏ）は、指定時間になるまでステップＳ５３が繰り返される。
【００４７】
これに対して、ステップＳ５３で指定時間のとき（Ｙｅｓ）には、ステップＳ５４で指定情報の抽出処理が行われる。さらにステップＳ５５で表示条件の識別処理が行われる。そしてステップＳ５６で表示条件ありか否か判断され、表示条件ありのとき（Ｙｅｓ）は、ステップＳ５７で表示条件の設定が行われる。そしてこの設定が行われたときと、ステップＳ５６で表示条件ありでないとき（Ｎｏ）は、ステップＳ５８で表示エリアに対象の画像情報が照射される。すなわち、対象の表示スペースに対象画像が照射される。
【００４８】
このようにして、例えば昇降機（エスカレーター）の保護壁（側壁）への画像の表示が行われる。なお、これら図２〜図４のフローチャートに示す処理は、例えば昇降機（エスカレーター）の保護壁（側壁）への画像情報の表示以外の、例えばエスカレーターのステップあるいは手摺への表示も可能である。この場合、算出および識別された結果と移動するステップあるいは手摺の速度から、画像形成装置における照射のタイミングや表示対象を切り替えるような制御を行い、対象となる表示スペースに対象画像を照射するものとする。同様に、動く歩道装置に近接する壁面、ステップ、あるいは手摺への画像情報の表示などにも適用できるものである。
【００４９】
すなわち、上述の実施形態において、所定エリア内の群集度の算出は、センサにて感知（例えば単位時間当たりの１平方メートルに存在する人物を識別）して行われる。また、所定エリア近傍の方向性の識別は、エスカレーター、階段であれば上下階の方向のいずれか、動く歩道であれば、東西南北などであり、ある地点からある別の地点への移動も含むものである。
【００５０】
そして、上述の算出及び識別された結果から、対象となる画像を抽出し、抽出した画像を識別された方向性考慮し、表示対象となる位置を判断して表示する。例えば、１階から２階へのエスカレーター、階段であれば、２階の表示スペースには２階以上の階のイベント情報を表示して、１回以下の情報は表示しない。あるいは、動く歩道装置であれば、広報のイベント情報よりも前方のイベント情報を抽出して表示を行うようにすることができる。
【００５１】
さらに、検知（算出）された人数から、表示する広告画像を選別する。あるいは、単位時間当たりの検知人数の総数から、対応する課金の設定を行うこともできる。
【００５２】
したがって、上述の実施形態において、設置場所の人間の人数や移動方向を判定し、その判定結果に応じて良好な画像情報の表示を行うことができる。また、画像形成装置により可逆記録媒体に画像情報を形成することによって、情報の表示に必要な資源・エネルギーを削減し、さらに、即応性の高い画像表示を容易に実施することができるものである。
【００５３】
すなわち、本発明の画像表示システムによれば、依頼者コンピュータと、運用サーバーと、表示地区端末とがコンピュータネットワークで接続されたシステムにおいて、依頼者コンピュータは、表示する画像の表示に関する種別情報と当該画像の表示に関する条件情報とを少なくとも設定する手段と、設定された情報と、表示の対象となる画像データあるいは当該画像データの格納先に関する情報の少なくともいずれか一方とを画像情報として生成する手段と、生成された画像情報を設定された条件情報に含まれる送信先情報に応じて対応する運用サーバーに送信する手段と、運用サーバーは、依頼者コンピュータから受信した画像情報に含まれる種別情報と条件情報に対応して、当該画像情報を見せる対象とする移動体の動態情報を取得する動態情報取得手段と、受信した画像情報と取得した動態情報に基づいて当該画像情報を当該動態情報に対応して表示させる表示指示情報を生成する手段と、生成された表示指示情報を取得した動態情報に対応する表示地区端末に送信する手段と、表示地区端末は、運用サーバーから送信された表示指示情報を受信する手段と、受信した表示指示情報に基づいて対応する画像形成装置を識別すると共に、当該識別の結果に応じて表示実行の対象となる画像形成装置に対して画像形成の指示を行う手段とを備えることにより、設置場所の人間の人数や移動方向を判定し、その判定結果に応じて良好な画像情報の表示を行うことができるものである。
【００５４】
また、本発明の画像表示システムによれば、発色状態における極大吸収波長が異なる２種類以上のフォトクロミック化合物を含む感光層が支持基板上に形成されてなる可逆記録媒体を任意の場所に配置すると共に、少なくとも紫外光を照射することにより感光層に含有される全種類のフォトクロミック化合物を発色させる工程と、発色した各々のフォトクロミック化合物の極大吸収波長に対応した波長域の可視光をそれぞれ予め定めた領域に照射することにより各フォトクロミック化合物を選択的に消色する工程とを施すことを用いて画像を形成する画像形成装置を可逆記録媒体の近傍に配置し、コンピュータネットワークを介して申し込まれる画像情報を画像形成装置に配信するサーバーを有し、画像形成装置によりサーバーから配信された画像情報を可逆記録媒体に形成することにより、省資源・エネルギーで、即応性の高い画像表示を実現することができるものである。
【００５５】
また、本発明の画像表示方法によれば、依頼者コンピュータと、運用サーバーと、表示地区端末とがコンピュータネットワークで接続されたシステムに用いられる画像表示方法において、依頼者コンピュータは、表示する画像の表示に関する種別情報と当該画像の表示に関する条件情報とを少なくとも設定し、設定された情報と、表示の対象となる画像データあるいは当該画像データの格納先に関する情報の少なくともいずれか一方とを画像情報として生成し、生成された画像情報を設定された条件情報に含まれる送信先情報に応じて対応する運用サーバーに送信し、運用サーバーは、依頼者コンピュータから受信した画像情報に含まれる種別情報と条件情報に対応して、当該画像情報を見せる対象とする移動体の動態情報を取得し、受信した画像情報と取得した動態情報に基づいて当該画像情報を当該動態情報に対応して表示させる表示指示情報を生成し、生成された表示指示情報を取得した動態情報に対応する表示地区端末に送信し、表示地区端末は、運用サーバーから送信された表示指示情報を受信し、受信した表示指示情報に基づいて対応する画像形成装置を識別すると共に、当該識別の結果に応じて表示実行の対象となる画像形成装置に対して画像形成の指示を行うことにより、設置場所の人間の人数や移動方向を判定し、その判定結果に応じて良好な画像情報の表示を行うことができるものである。
【００５６】
また、本発明の画像表示システムによれば、発色状態における極大吸収波長が異なる２種類以上のフォトクロミック化合物を含む感光層が支持基板上に形成されてなる可逆記録媒体を任意の場所に配置すると共に、少なくとも紫外光を照射することにより感光層に含有される全種類のフォトクロミック化合物を発色させる工程と、発色した各々のフォトクロミック化合物の極大吸収波長に対応した波長域の可視光をそれぞれ予め定めた領域に照射することにより各フォトクロミック化合物を選択的に消色する工程とを施すことを用いて画像を形成する画像形成装置を可逆記録媒体の近傍に配置し、コンピュータネットワークを介して申し込まれる画像情報を画像形成装置に配信するサーバーを有し、画像形成装置によりサーバーから配信された画像情報を可逆記録媒体に形成することにより、省資源・エネルギーで、即応性の高い画像表示を実現することができるものである。
【００５７】
なお本発明は、上述の説明した実施形態に限定されるものではなく、特許請求の範囲の記載を逸脱しない限りにおいて、種々の変形が可能とされるものである。
【図面の簡単な説明】
【００５８】
【図１】本発明による画像表示システム及び方法の一実施形態の構成を示すブロック図である。
【図２】図１の実施形態の動作の説明のためのフローチャート図である。
【図３】図１の実施形態の動作の説明のためのフローチャート図である。
【図４】図１の実施形態の動作の説明のためのフローチャート図である。
【符号の説明】
【００５９】
１Ａ，１Ｂ…依頼者、２…依頼者端末、３…携帯電話機、４…インターネット、５…基地局、６…運用サーバー、７…動態情報取得手段、８…監視カメラ、９…表示地区端末、１０…エスカレーター、１１…動く歩道装置、１２…可逆記録媒体、１３…画像形成装置、１４…課金手段
【図１】
2005331884.tif 000003
【図２】
2005331884.tif 000004
【図３】
2005331884.tif 000005
【図４】
2005331884.tif 000006